(57)【要約】【課題】  移動体通信網Ｎ１におけるＧＧＳＮにおいて使用可能帯域が逼迫することを防止してデータの送受信を円滑に行わせる。【解決手段】  ＳＧＳＮ１０は、接続要求受付部１１によって受信された接続要求を複数のＧＧＳＮ２０から選択して送信する接続要求処理部１２と、ＧＧＳＮ２０から受信された応答に基づいて非選択時間の間、当該ＧＧＳＮ２０を接続要求の送信先から除外させる制御部１３とを備える。ＧＧＳＮ２０は、帯域使用量を測定する帯域使用量測定部２１と、接続要求受信部２２によって受信された接続要求に基づく接続処理を行うか否かを帯域使用量に基づいて判断する接続可否判断部２３と、接続処理を行わないと判断された場合に、非選択時間の間、自ノードを接続要求の送信先から除外させる旨の情報をＳＧＳＮ１０に通知する期間通知部２５とを備える。【選択図】  図１
2010239355.tif 000002
【特許請求の範囲】
【請求項１】
移動体通信網に含まれ、接続要求受付ノードと当該接続要求受付ノードに接続された複数の接続処理ノードとを含んで構成される通信制御システムであって、
前記接続要求受付ノードは、
前記移動体通信網に接続される移動通信端末から、接続先を指定した移動体通信網を介した接続要求を受信する接続要求受付手段と、
前記接続要求受付手段によって受信された前記接続要求を送信する接続処理ノードを、前記複数の接続処理ノードから選択して、選択した接続処理ノードに接続要求を送信すると共に当該接続要求に対する応答を当該接続処理ノードから受信する接続要求処理手段と、
前記接続要求処理手段によって受信された前記応答が当該接続要求に基づく接続処理を行わないものであった場合に別の接続処理ノードへの当該接続要求の送信を接続要求処理手段に行わせると共に当該応答に含まれる情報に基づいて前記送信先決定手段に対して所定の期間、当該応答に係る接続処理ノードを接続要求の送信先から除外させる制御手段と、を備え、
前記接続処理ノードは、
自ノードよって確立された接続による自ノードにおける帯域使用量を測定する帯域使用量測定手段と、
前記接続要求受付ノードから前記接続要求を受信する接続要求受信手段と、
前記接続要求受信手段によって受信された前記接続要求に基づく接続処理を行うか否かを、前記帯域使用量測定手段によって測定された帯域使用量に基づいて判断する接続可否判断手段と、
前記接続処理を行うと前記接続可否判断手段によって判断された場合に、前記接続要求に基づく、前記移動通信端末と前記接続先との間の接続処理を行う接続処理手段と、
前記接続処理を行わないと前記接続可否判断手段によって判断された場合に、所定の期間、自ノードを接続要求の送信先から除外させる旨の情報を前記接続要求受付ノードに通知する期間通知手段と、を備える、
ことを特徴とする通信制御システム。
【請求項２】
前記接続処理ノードの前記期間通知手段は、前記帯域使用量測定手段によって測定された帯域使用量に応じて前記所定の期間を決定することを特徴とする請求項１に記載の通信制御システム。
【請求項３】
前記接続要求受付ノードの前記接続要求処理手段は、前記接続要求の送信先として選択しえる前記接続処理ノードの数及び当該接続要求の送信回数を示す情報を、選択した接続処理ノードに送信する接続要求に含め、
前記接続処理ノードの前記接続可否判断手段は、前記接続要求受信手段によって受信された前記接続要求に含まれる情報によって示される前記接続要求の送信先として選択しえる前記接続処理ノードの数と当該接続要求の送信回数とを比較して、当該接続要求の送信回数が前記接続要求の送信先として選択しえる前記接続処理ノードの数以上であった場合は、前記帯域使用量に基づく判断にかかわらず当該接続要求に基づく接続処理を行うと判断する、
ことを特徴とする請求項１又は２に記載の通信制御システム。
【請求項４】
前記接続要求受付ノードの前記接続要求処理手段は、前記接続要求を送信する接続処理ノードを、当該接続要求によって指定される接続先に応じた前記複数の接続処理ノードから選択し、
前記接続要求受付ノードの制御手段は、前記接続要求によって指定される接続先に応じて、前記送信先決定手段に対して所定の期間、当該応答に係る接続処理ノードを接続要求の送信先から除外させ、
前記接続処理ノードの帯域使用量測定手段は、接続先に応じて前記帯域使用量を測定し、
前記接続可否判断手段は、前記接続要求受信手段によって受信された前記接続要求に基づく接続処理を行うか否かを接続先に応じて判断する、
ことを特徴とする請求項１〜３の何れか一項に記載の通信制御システム。
【請求項５】
前記接続処理ノードの前記期間通知手段は、前記接続先に応じて前記所定の期間を決定することを特徴とする請求項１に記載の通信制御システム。
【請求項６】
移動体通信網に含まれ、接続要求受付ノードと当該接続要求受付ノードに接続された複数の接続処理ノードとを含んで構成される通信制御システムにおける前記接続要求受付ノードであって、
前記移動体通信網に接続される移動通信端末から、接続先を指定した移動体通信網を介した接続要求を受信する接続要求受付手段と、
前記接続要求受付手段によって受信された前記接続要求を送信する接続処理ノードを、前記複数の接続処理ノードから選択して、選択した接続処理ノードに接続要求を送信すると共に当該接続要求に対する応答を当該接続処理ノードから受信する接続要求処理手段と、
前記接続要求処理手段によって受信された前記応答が当該接続要求に基づく接続処理を行わないものであった場合に別の接続処理ノードへの当該接続要求の再送を接続要求処理手段に行わせると共に当該応答に含まれる情報に基づいて前記送信先決定手段に対して所定の期間、当該応答に係る接続処理ノードを接続要求の送信先から除外させる制御手段と、
を備えることを特徴とする接続要求受付ノード。
【請求項７】
移動体通信網に含まれ、接続要求受付ノードと当該接続要求受付ノードに接続された複数の接続処理ノードとを含んで構成される通信制御システムにおける前記接続処理ノードであって、
自ノードよって確立された接続による自ノードにおける帯域使用量を測定する帯域使用量測定手段と、
前記接続要求受付ノードから前記接続要求を受信する接続要求受信手段と、
前記接続要求受信手段によって受信された前記接続要求に基づく接続処理を行うか否かを、前記帯域使用量測定手段によって測定された帯域使用量に基づいて判断する接続可否判断手段と、
前記接続処理を行うと前記接続可否判断手段によって判断された場合に、前記接続要求に基づく、前記移動通信端末と前記接続先との間の接続処理を行う接続処理手段と、
前記接続処理を行わないと前記接続可否判断手段によって判断された場合に、所定の期間、自ノードを接続要求の送信先から除外させる旨の情報を前記接続要求受付ノードに通知する期間通知手段と、
を備えることを特徴とする接続処理ノード。
【請求項８】
移動体通信網に含まれ、接続要求受付ノードと当該接続要求受付ノードに接続された複数の接続処理ノードとを含んで構成される通信制御システムによる通信制御方法であって、
前記接続要求受付ノードが、
前記移動体通信網に接続される移動通信端末から、接続先を指定した移動体通信網を介した接続要求を受信する接続要求受付ステップと、
前記接続要求受付ステップにおいて受信された前記接続要求を送信する接続処理ノードを、前記複数の接続処理ノードから選択して、選択した接続処理ノードに接続要求を送信すると共に当該接続要求に対する応答を当該接続処理ノードから受信する接続要求処理ステップと、
前記接続要求処理ステップにおいて受信された前記応答が当該接続要求に基づく接続処理を行わないものであった場合に別の接続処理ノードへの当該接続要求の送信を接続要求処理ステップにおいて行わせると共に当該応答に含まれる情報に基づいて前記送信先決定ステップにおいて所定の期間、当該応答に係る接続処理ノードを接続要求の送信先から除外させる制御ステップと、を含み、
前記接続処理ノードが、
自ノードよって確立された接続による自ノードにおける帯域使用量を測定する帯域使用量測定ステップと、
前記接続要求受付ノードから前記接続要求を受信する接続要求受信ステップと、
前記接続要求受信ステップにおいて受信された前記接続要求に基づく接続処理を行うか否かを、前記帯域使用量測定ステップにおいて測定された帯域使用量に基づいて判断する接続可否判断ステップと、
前記接続処理を行うと前記接続可否判断ステップにおいて判断された場合に、前記接続要求に基づく、前記移動通信端末と前記接続先との間の接続処理を行う接続処理ステップと、
前記接続処理を行わないと前記接続可否判断ステップにおいて判断された場合に、所定の期間、自ノードを接続要求の送信先から除外させる旨の情報を前記接続要求受付ノードに通知する期間通知ステップと、を含む、
ことを特徴とする通信制御方法。
【請求項９】
移動体通信網に含まれ、接続要求受付ノードと当該接続要求受付ノードに接続された複数の接続処理ノードとを含んで構成される通信制御システムにおける前記接続要求受付ノードによる通信制御方法であって、
前記移動体通信網に接続される移動通信端末から、接続先を指定した移動体通信網を介した接続要求を受信する接続要求受付ステップと、
前記接続要求受付ステップにおいて受信された前記接続要求を送信する接続処理ノードを、前記複数の接続処理ノードから選択して、選択した接続処理ノードに接続要求を送信すると共に当該接続要求に対する応答を当該接続処理ノードから受信する接続要求処理ステップと、
前記接続要求処理ステップにおいて受信された前記応答が当該接続要求に基づく接続処理を行わないものであった場合に別の接続処理ノードへの当該接続要求の送信を接続要求処理ステップにおいて行わせると共に当該応答に含まれる情報に基づいて前記送信先決定ステップにおいて所定の期間、当該応答に係る接続処理ノードを接続要求の送信先から除外させる制御ステップと、
を含むことを特徴とする通信制御方法。
【請求項１０】
移動体通信網に含まれ、接続要求受付ノードと当該接続要求受付ノードに接続された複数の接続処理ノードとを含んで構成される通信制御システムにおける前記接続処理ノードによる通信制御方法であって、
自ノードよって確立された接続による自ノードにおける帯域使用量を測定する帯域使用量測定ステップと、
前記接続要求受付ノードから前記接続要求を受信する接続要求受信ステップと、
前記接続要求受信ステップにおいて受信された前記接続要求に基づく接続処理を行うか否かを、前記帯域使用量測定ステップにおいて測定された帯域使用量に基づいて判断する接続可否判断ステップと、
前記接続処理を行うと前記接続可否判断ステップにおいて判断された場合に、前記接続要求に基づく、前記移動通信端末と前記接続先との間の接続処理を行う接続処理ステップと、
前記接続処理を行わないと前記接続可否判断ステップにおいて判断された場合に、所定の期間、自ノードを接続要求の送信先から除外させる旨の情報を前記接続要求受付ノードに通知する期間通知ステップと、
を含むことを特徴とする通信制御方法。
【発明の詳細な説明】
【技術分野】
【０００１】
本発明は、移動体通信網に含まれて移動通信端末と所定の接続先との接続を確立させる通信制御システム、当該通信制御システムに含まれる接続要求受付ノード及び接続処理ノード、並びにそれらによる通信制御方法に関する。
【背景技術】
【０００２】
データ通信用の移動体通信網であるＩＭＴ−２０００網は、ＳＧＳＮ（ServingGPRS Support Node）とＧＧＳＮ（Gateway GPRS Support Node）とを含んで構成されている（例えば、特許文献１参照）。ＳＧＳＮは、移動体通信網に接続される移動通信端末から、移動体通信網に接続されるＰＤＮ（PacketData Network）内のサーバ等への接続を要求する接続要求信号（Ｃ−Ｐｌａｎｅ信号）を受信する。ＳＧＳＮは、ＧＧＳＮに対して接続要求信号を送信して接続処理を行わせる。ＧＧＳＮ等による接続処理の結果、移動通信端末とサーバ等との間に接続が確立されると、当該接続を介してユーザパケット（Ｕ−Ｐｌａｎｅ信号）が送受信される。即ち、ＳＧＳＮは、移動通信端末から移動体通信網を介した接続要求を受け付ける接続要求受付ノードであり、ＧＧＳＮは、当該接続要求に基づいて接続処理を行う接続処理ノードである。
【先行技術文献】
【特許文献】
【０００３】
【特許文献１】特開２００３−２５９４２２号公報
【発明の概要】
【発明が解決しようとする課題】
【０００４】
ＳＧＳＮは、通常、複数のＧＧＳＮに接続されており、複数のＧＧＳＮのアドレスから接続要求信号を送信するＧＧＳＮのアドレスを選択して、接続要求信号の送信を行う。複数のＧＧＳＮが設けられている理由は、信号の接続処理及び中継処理の負荷分散を図るためのものである。ＧＧＳＮのアドレスの選択は、移動通信端末から送信される要求に含まれる、接続先を示すＡＰＮ（Access Point Name）と、ＳＧＳＮが記憶する選択リストとから、所定の選択ロジックに基づいて行われる。
【０００５】
接続要求信号を受信したＧＧＳＮは、現在、自ノードで管理している接続数を確認し、それが予めＧＧＳＮが記憶している最大同時接続数を下回る場合には接続を許容する。しかしながら、ＧＧＳＮにおいて、管理している接続数が最大同時接続数を下回っていたとしても、バーストトラフィック発生等によりＧＧＳＮの使用可能帯域が逼迫している場合には、接続が確立された後のユーザパケットは円滑に処理されない。例えば、使用可能な帯域が逼迫している場合には、ユーザパケットは、ＧＧＳＮから接続先のＰＤＮに接続されるルータに送信されるが、ルータにおいて、ユーザパケットの破棄（Policing）やバッファリング（Shaping）の処理が実施される。これはユーザの利便性を損なうと共に、再送パケットがシステム処理負荷の増大を招くという問題を生じさせる。
【０００６】
本発明は、以上の問題点を解決するためになされたものであり、移動体通信網における接続処理ノードにおいて使用可能帯域が逼迫することを防止して、移動体通信網を介したデータの送受信が円滑に行われることを可能とさせる通信制御システム、接続要求受付ノード、接続処理ノード及び通信制御方法を提供することを目的とする。
【課題を解決するための手段】
【０００７】
上記目的を達成するために、本発明に係る通信制御システムは、移動体通信網に含まれ、接続要求受付ノードと当該接続要求受付ノードに接続された複数の接続処理ノードとを含んで構成される通信制御システムであって、接続要求受付ノードは、移動体通信網に接続される移動通信端末から、接続先を指定した移動体通信網を介した接続要求を受信する接続要求受付手段と、接続要求受付手段によって受信された接続要求を送信する接続処理ノードを、複数の接続処理ノードから選択して、選択した接続処理ノードに接続要求を送信すると共に当該接続要求に対する応答を当該接続処理ノードから受信する接続要求処理手段と、接続要求処理手段によって受信された応答が当該接続要求に基づく接続処理を行わないものであった場合に別の接続処理ノードへの当該接続要求の送信を接続要求処理手段に行わせると共に当該応答に含まれる情報に基づいて送信先決定手段に対して所定の期間、当該応答に係る接続処理ノードを接続要求の送信先から除外させる制御手段と、を備え、接続処理ノードは、自ノードよって確立された接続による自ノードにおける帯域使用量を測定する帯域使用量測定手段と、接続要求受付ノードから接続要求を受信する接続要求受信手段と、接続要求受信手段によって受信された接続要求に基づく接続処理を行うか否かを、帯域使用量測定手段によって測定された帯域使用量に基づいて判断する接続可否判断手段と、接続処理を行うと接続可否判断手段によって判断された場合に、接続要求に基づく、移動通信端末と接続先との間の接続処理を行う接続処理手段と、接続処理を行わないと接続可否判断手段によって判断された場合に、所定の期間、自ノードを接続要求の送信先から除外させる旨の情報を接続要求受付ノードに通知する期間通知手段と、を備える、ことを特徴とする。
【０００８】
本発明の通信制御システムでは、接続処理ノードにおいて自ノードにおける帯域使用量に基づいて、接続要求に基づく接続処理を行うか否かが判断される。この帯域使用量が接続処理あるいは接続を介したデータの送受信の効率を低下させるおそれがあるほどに大きかった場合等に上記判断によって接続処理を行わないと判断された場合には、所定の期間、自ノードを接続要求の送信先から除外させる旨が接続処理ノードから接続要求受付ノードに通知される。接続要求受付ノードでは、当該接続要求に対する応答により上記の通知が行われると、所定の期間、当該接続処理ノードを接続要求の送信先から除外させる。
【０００９】
即ち、本発明の通信制御システムでは、接続処理ノードでの帯域使用量が接続処理あるいは接続を介したデータの送受信の効率を低下させるおそれがあるほどに大きかった場合等には、所定の期間、新たな接続処理が行われない。そのため、その間に当該接続処理ノードでの帯域使用量が減少する。従って、本発明の通信制御システムによれば、移動体通信網における接続処理ノードにおいて使用可能帯域が逼迫することを防止して、移動体通信網を介したデータの送受信が円滑に行われる。
【００１０】
接続処理ノードの期間通知手段は、帯域使用量測定手段によって測定された帯域使用量に応じて所定の期間を決定することが望ましい。この構成によれば、接続処理ノードにおいて新たな接続処理を行わない期間を、帯域使用量に応じた適切なものにすることができる。これにより新たな接続処理を行わない期間が過剰に長くなること等を防止し、適切に接続処理ノードにおいて使用可能帯域が逼迫することを防止することができる。
【００１１】
接続要求受付ノードの接続要求処理手段は、接続要求の送信先として選択しえる接続処理ノードの数及び当該接続要求の送信回数を示す情報を、選択した接続処理ノードに送信する接続要求に含め、接続処理ノードの接続可否判断手段は、接続要求受信手段によって受信された接続要求に含まれる情報によって示される接続要求の送信先として選択しえる接続処理ノードの数と当該接続要求の送信回数とを比較して、当該接続要求の送信回数が接続要求の送信先として選択しえる接続処理ノードの数以上であった場合は、帯域使用量に基づく判断にかかわらず当該接続要求に基づく接続処理を行うと判断する、ことが望ましい。この構成によれば、何れかの接続処理ノードで確実に接続処理を行わせることができる。
【００１２】
接続要求受付ノードの接続要求処理手段は、接続要求を送信する接続処理ノードを、当該接続要求によって指定される接続先に応じた複数の接続処理ノードから選択し、接続要求受付ノードの制御手段は、接続要求によって指定される接続先に応じて、送信先決定手段に対して所定の期間、当該応答に係る接続処理ノードを接続要求の送信先から除外させ、接続処理ノードの帯域使用量測定手段は、接続先に応じて帯域使用量を測定し、接続可否判断手段は、接続要求受信手段によって受信された接続要求に基づく接続処理を行うか否かを接続先に応じて判断する、ことが望ましい。この構成によれば、接続先毎に接続処理ノードにおいて使用可能帯域が逼迫することを防止して、移動体通信網を介したデータの送受信が円滑に行われることを可能とさせることができる。
【００１３】
接続処理ノードの期間通知手段は、接続先に応じて所定の期間を決定することが望ましい。この構成によれば、接続先毎に接続処理ノードにおいて、新たな接続処理を行わない期間を、帯域使用量に応じた適切なものにすることができる。
【００１４】
本発明の通信制御システムに含まれる接続要求受付ノードと接続処理ノードとは、それら自体が新規な構成を有しており、それぞれが本発明を構成する。
【００１５】
即ち、本発明に係る接続要求受付ノードは、移動体通信網に含まれ、接続要求受付ノードと当該接続要求受付ノードに接続された複数の接続処理ノードとを含んで構成される通信制御システムにおける接続要求受付ノードであって、移動体通信網に接続される移動通信端末から、接続先を指定した移動体通信網を介した接続要求を受信する接続要求受付手段と、接続要求受付手段によって受信された接続要求を送信する接続処理ノードを、複数の接続処理ノードから選択して、選択した接続処理ノードに接続要求を送信すると共に当該接続要求に対する応答を当該接続処理ノードから受信する接続要求処理手段と、接続要求処理手段によって受信された応答が当該接続要求に基づく接続処理を行わないものであった場合に別の接続処理ノードへの当該接続要求の再送を接続要求処理手段に行わせると共に当該応答に含まれる情報に基づいて送信先決定手段に対して所定の期間、当該応答に係る接続処理ノードを接続要求の送信先から除外させる制御手段と、を備えることを特徴とする。
【００１６】
また、本発明に係る接続処理ノードは、移動体通信網に含まれ、接続要求受付ノードと当該接続要求受付ノードに接続された複数の接続処理ノードとを含んで構成される通信制御システムにおける接続処理ノードであって、自ノードよって確立された接続による自ノードにおける帯域使用量を測定する帯域使用量測定手段と、接続要求受付ノードから接続要求を受信する接続要求受信手段と、接続要求受信手段によって受信された接続要求に基づく接続処理を行うか否かを、帯域使用量測定手段によって測定された帯域使用量に基づいて判断する接続可否判断手段と、接続処理を行うと接続可否判断手段によって判断された場合に、接続要求に基づく、移動通信端末と接続先との間の接続処理を行う接続処理手段と、接続処理を行わないと接続可否判断手段によって判断された場合に、所定の期間、自ノードを接続要求の送信先から除外させる旨の情報を接続要求受付ノードに通知する期間通知手段と、を備えることを特徴とする。
【００１７】
ところで、本発明は、上記のように通信制御システム、接続要求受付ノード及び接続処理ノードの発明として記述できる他に、以下のようにそれらによる通信制御方法の発明としても記述することができる。これはカテゴリが異なるだけで、実質的に同一の発明であり、同様の作用及び効果を奏する。
【００１８】
即ち、本発明に係る通信制御方法は、移動体通信網に含まれ、接続要求受付ノードと当該接続要求受付ノードに接続された複数の接続処理ノードとを含んで構成される通信制御システムによる通信制御方法であって、接続要求受付ノードが、移動体通信網に接続される移動通信端末から、接続先を指定した移動体通信網を介した接続要求を受信する接続要求受付ステップと、接続要求受付ステップにおいて受信された接続要求を送信する接続処理ノードを、複数の接続処理ノードから選択して、選択した接続処理ノードに接続要求を送信すると共に当該接続要求に対する応答を当該接続処理ノードから受信する接続要求処理ステップと、接続要求処理ステップにおいて受信された応答が当該接続要求に基づく接続処理を行わないものであった場合に別の接続処理ノードへの当該接続要求の送信を接続要求処理ステップにおいて行わせると共に当該応答に含まれる情報に基づいて送信先決定ステップにおいて所定の期間、当該応答に係る接続処理ノードを接続要求の送信先から除外させる制御ステップと、を含み、接続処理ノードが、自ノードよって確立された接続による自ノードにおける帯域使用量を測定する帯域使用量測定ステップと、接続要求受付ノードから接続要求を受信する接続要求受信ステップと、接続要求受信ステップにおいて受信された接続要求に基づく接続処理を行うか否かを、帯域使用量測定ステップにおいて測定された帯域使用量に基づいて判断する接続可否判断ステップと、接続処理を行うと接続可否判断ステップにおいて判断された場合に、接続要求に基づく、移動通信端末と接続先との間の接続処理を行う接続処理ステップと、接続処理を行わないと接続可否判断ステップにおいて判断された場合に、所定の期間、自ノードを接続要求の送信先から除外させる旨の情報を接続要求受付ノードに通知する期間通知ステップと、を含む、ことを特徴とする。
【００１９】
また、本発明に係る通信制御方法は、移動体通信網に含まれ、接続要求受付ノードと当該接続要求受付ノードに接続された複数の接続処理ノードとを含んで構成される通信制御システムにおける接続要求受付ノードによる通信制御方法であって、移動体通信網に接続される移動通信端末から、接続先を指定した移動体通信網を介した接続要求を受信する接続要求受付ステップと、接続要求受付ステップにおいて受信された接続要求を送信する接続処理ノードを、複数の接続処理ノードから選択して、選択した接続処理ノードに接続要求を送信すると共に当該接続要求に対する応答を当該接続処理ノードから受信する接続要求処理ステップと、接続要求処理ステップにおいて受信された応答が当該接続要求に基づく接続処理を行わないものであった場合に別の接続処理ノードへの当該接続要求の送信を接続要求処理ステップにおいて行わせると共に当該応答に含まれる情報に基づいて送信先決定ステップにおいて所定の期間、当該応答に係る接続処理ノードを接続要求の送信先から除外させる制御ステップと、を含むことを特徴とする。
【００２０】
また、本発明に係る通信制御方法は、移動体通信網に含まれ、接続要求受付ノードと当該接続要求受付ノードに接続された複数の接続処理ノードとを含んで構成される通信制御システムにおける接続処理ノードによる通信制御方法であって、自ノードよって確立された接続による自ノードにおける帯域使用量を測定する帯域使用量測定ステップと、接続要求受付ノードから接続要求を受信する接続要求受信ステップと、接続要求受信ステップにおいて受信された接続要求に基づく接続処理を行うか否かを、帯域使用量測定ステップにおいて測定された帯域使用量に基づいて判断する接続可否判断ステップと、接続処理を行うと接続可否判断ステップにおいて判断された場合に、接続要求に基づく、移動通信端末と接続先との間の接続処理を行う接続処理ステップと、接続処理を行わないと接続可否判断ステップにおいて判断された場合に、所定の期間、自ノードを接続要求の送信先から除外させる旨の情報を接続要求受付ノードに通知する期間通知ステップと、を含むことを特徴とする。
【発明の効果】
【００２１】
本発明によれば、接続処理ノードでの帯域使用量が接続処理あるいは接続を介したデータの送受信の効率を低下させるおそれがあるほどに大きかった場合等には、所定の期間、新たな接続処理が行われない。そのため、その間に当該接続処理ノードでの帯域使用量が減少する。従って、本発明によれば、移動体通信網における接続処理ノードにおいて使用可能帯域が逼迫することを防止して、移動体通信網を介したデータの送受信が円滑に行われる。
【図面の簡単な説明】
【００２２】
【図１】本発明の実施形態に係る通信制御システムの機能構成を示す図である。
【図２】ＳＧＳＮによって記憶されるアドレス解決管理テーブルである。
【図３】ＧＧＳＮによって記憶される閾値管理テーブルである。
【図４】本発明の実施形態に係る通信制御システムに含まれるＳＧＳＮ及びＧＧＳＮのハードウェア構成を示す図である。
【図５】本発明の実施形態に係る通信制御システムにより実行される処理（通信制御方法）を示すシーケンス図である。
【図６】本発明の実施形態に係る通信制御システムの構成の別の例を示す図である。
【発明を実施するための形態】
【００２３】
以下、図面と共に本発明に係る通信制御システム、接続要求受付ノード、接続処理ノード及び通信制御方法の好適な実施形態について詳細に説明する。なお、図面の説明においては同一要素には同一符号を付し、重複する説明を省略する。なお、本実施形態におけるノード名、データ名、信号名、及びそれらの具体的内容については、３ＧＰＰ（3rd Generation Partnership Project）に準拠する。
【００２４】
図１に本実施形態に係る通信制御システム１を示す。通信制御システム１は、移動体通信網Ｎ１の構成要素であり、移動体通信網Ｎ１に含まれる。図１に示すように通信制御システム１は、ＳＧＳＮ１０と、複数のＧＧＳＮ２０とを含んで構成される。移動体通信網Ｎ１は、ＧＧＳＮ２０と、例えば、ＰＤＮ（パケットデータネットワーク）Ｎ２等の移動体通信網Ｎ１とは別のネットワークとを相互接続するルータ３０も含んでいる。移動体通信網Ｎ１は、移動通信端末４０の接続対象であり、移動通信端末４０に対して移動体通信の機能を提供する。移動体通信網Ｎ１は、上記の構成要素以外にも、図示しない基地局、無線制御装置、ＨＬＲ（Home Location Register）等の通常の移動体通信網を構成する構成要素を有している。
【００２５】
より詳細には後述するように、ＳＧＳＮ１０は、移動通信端末４０から移動体通信網Ｎ１を介した接続（通信接続）の要求を受け付ける接続要求受付ノードである。ＳＧＳＮ１０は、複数のＧＧＳＮ２０に有線等によって接続されており、受け付けた接続要求を自ノード１０に接続されたＧＧＳＮ２０の何れかに送信する。ＧＧＳＮ２０は、送信された接続要求を受信して接続処理を行う接続処理ノードである。なお、図１にはＳＧＳＮ１０は一つしか描かれていないが、通常、移動体通信網Ｎ１には複数のＳＧＳＮ１０が含まれる。また、ＳＧＳＮ１０及びＧＧＳＮ２０は本実施形態では１つの装置として説明するが、複数の装置（コンピュータによるシステム）として実現されていてもよい。
【００２６】
移動通信端末４０は、ユーザに所持され、移動体通信により移動体通信網Ｎ１に接続する機能を有する装置である。移動通信端末４０は、移動体通信網Ｎ１の機能によって移動体通信を介した接続が接続先の装置との間で確立されて、当該接続先の装置とデータの送受信を行う。接続の確立とは、例えば、移動通信端末４０と接続先との間でセッションが確立され、データ（ユーザパケット）の送受信が行いえる状態となることである。
【００２７】
移動通信端末４０は、接続を確立するために、ユーザの操作等によって接続要求（ActivatePDP Context Req.）を移動体通信網Ｎ１に送信する機能を有している。当該接続要求には、接続先を示す情報であるＡＰＮの情報が含められる。ＡＰＮは、例えば、インターネット接続サービスの種類等の通信のサービス種別毎に定められる。なお、上記の移動通信端末４０の機能は、従来の移動通信端末と同様のものである。
【００２８】
上記のＰＤＮ（Ｎ２）には、移動通信端末４０の接続先となりえるＧｉサーバ５０が含まれる。Ｇｉサーバ５０は、上記のＡＰＮによって指定される。
【００２９】
引き続いて、ＳＧＳＮ１０及びＧＧＳＮ２０の本発明に係る機能について詳細に説明する。図１に示すように、ＳＧＳＮ１０は、接続要求受付部１１と、接続要求処理部１２と、制御部１３とを備えて構成される。
【００３０】
接続要求受付部１１は、移動体通信網Ｎ１に接続される移動通信端末４０から、接続先を指定した移動体通信網を介した接続要求（Activate PDP Context Req.）を受信する接続要求受付手段である。なお、この受信は、基地局、無線制御装置等の移動体通信網Ｎ１の構成要素を介して行われる（以降の、移動通信端末４０とＳＧＳＮ１０との間の送受信についても同様）。接続要求受付部１１は、受信した接続要求を接続要求処理部１２に出力する。
【００３１】
接続要求処理部１２は、接続要求受付部１１によって受信された接続要求を処理する接続要求処理手段である。接続要求処理部１２は、接続要求受付部１１から接続要求が入力されると、当該接続要求を送信するＧＧＳＮ２０を自ノード１０に接続された複数のＧＧＳＮ２０から選択して（アドレス解決）、選択したＧＧＳＮ２０に接続要求（Create PDP Context Req.）を送信する。ＧＧＳＮ２０の選択は、図２に示す、接続要求処理部１２が予め記憶しているアドレス解決管理テーブルに基づいて行われる。
【００３２】
図２に示すようにアドレス解決管理テーブルは、ＡＰＮを示す情報に１つ以上のＧＧＳＮ２０のアドレス（ＧＧＳＮアドレス）を示す情報が対応付けられて格納されている。また、各ＧＧＳＮアドレスには、アドレス解決をする際にＧＧＳＮ２０の順序を示す情報（Primary、Secondary等の「選択リスト」の欄の情報）が対応付けられている。接続要求処理部１２は、接続要求を送信するＧＧＳＮ２０の順序（例えば、Primaryの次にSecondaryに送信する、Secondaryの次にTertiaryに送信する等）を予め記憶している。
【００３３】
アドレス解決は具体的には以下のように行われる。接続要求処理部１２は、接続要求に含まれるＡＰＮを示す情報及びアドレス解決管理テーブルを参照して、当該接続要求を送信することができるＧＧＳＮアドレスを特定する。例えば、ＡＰＮが「Ａ」である場合は、接続要求を送信することができるＧＧＳＮアドレスは、“aaa.aaa.aaa.aaa”（Primary）、“bbb.bbb.bbb.bbb”（Secondary）及び“ccc.ccc.ccc.ccc”（Tertiary）の３つである。接続要求処理部１２は、当該ＡＰＮへの接続要求を以前に送信したＧＧＳＮ２０に対応付けられた順序を示す情報（Primary、Secondary等）を記憶しており、当該順序に基づいて接続要求を送信するＧＧＳＮ２０のアドレスを選択する。
【００３４】
後述するように、当該接続要求を送信することができるＧＧＳＮアドレスのうち、接続要求の送信先から除外させるＧＧＳＮ２０のＧＧＳＮアドレスが含まれていた場合、そのＧＧＳＮアドレスは選択から除外される。
【００３５】
接続要求処理部１２は、送信した接続要求に対する応答（Create PDPContext Res.）をＧＧＳＮ２０から受信する。受信した応答が、接続先との接続処理が行われて接続（セッション）が確立されたものを示すものであった場合、その旨を移動通信端末４０からの接続要求への応答（ActivatePDP Context Accept）として、移動通信端末４０に通知する。
【００３６】
一方、受信した応答が、接続処理を行わない旨を通知するもの、即ち、ＧＧＳＮ２０の再選択を行うように通知するものであった場合、応答に含まれる情報を制御部１３に出力する。接続要求処理部１２は、制御部１３からの制御を受けて当該接続要求を別のＧＧＳＮ２０に送信する。その場合、上記のアドレス解決の処理を再度行い、ＧＧＳＮ２０を再選択する。また、接続要求処理部１２は、制御部１３からの制御に基づき、接続処理を行わない旨の応答を行ったＧＧＳＮ２０を接続要求の送信先から除外させる。
【００３７】
接続要求処理部１２は、当該接続要求の送信先として選択しえるＧＧＳＮ２０の数（接続リスト数）及び当該接続要求の送信回数（接続要求回数）を示す情報を、送信する接続要求に含める。接続リスト数は、上記のようにアドレス解決管理テーブルが参照されることによって確認される。例えば、図２に示すアドレス解決管理テーブルの場合、ＡＰＮが「Ａ」であれば、接続リスト数は３である。ＧＧＳＮ２０を接続要求の送信先から除外させる制御が行われている場合、その分の数が接続リスト数から引かれる。接続要求回数は、接続要求毎にＧＧＳＮ２０への送信回数をカウントしておくことによって確認される。これらの情報は、後述するようにＧＧＳＮ２０における接続処理の実行可否の判断に用いられる。
【００３８】
制御部１３は、接続要求処理部１２によって受信されたＧＧＳＮ２０からの応答が接続要求に基づく接続処理を行わないものであった場合に、接続要求処理部１２に対する制御を行う制御手段である。制御部１３は、接続要求処理部１２に対して、別のＧＧＳＮ２０への当該接続要求の送信を行わせる。
【００３９】
また、当該応答に含まれる情報には、当該応答を送信したＧＧＳＮ２０を接続要求の送信先から除外させる期間（非選択時間）を示す情報が含まれている。制御部１３は、接続要求処理部１２に対して、その情報によって示される期間当該ＧＧＳＮ２０を接続要求の送信先から除外させるように制御する。除外させる期間は、例えば、後述するように数秒等である。制御部１３は、当該応答に含まれる情報を接続要求処理部１２から受信した時点から制御を開始し、その期間が経過するとその制御を解除する（当該ＧＧＳＮ２０に対しても、接続要求の送信を可能にする）。
【００４０】
制御部１３は、接続先となるＡＰＮに応じて上記の制御を行うこととしてもよい。即ち、接続要求に基づく接続処理を行わないとされ非選択時間を示す情報が含まれていた場合、当該接続要求と同じＡＰＮが送信先として接続要求のみを当該ＧＧＳＮ２０を接続要求の送信先から除外させることとしてもよい。以上が、ＳＧＳＮ１０の機能構成である。
【００４１】
引き続いて、ＧＧＳＮ２０の本発明に係る機能について詳細に説明する。図１に示すようにＧＧＳＮ２０は、帯域使用量測定部２１と、接続要求受信部２２と、接続可否判断部２３と、接続処理部２４と、期間通知部２５とを備えて構成される。
【００４２】
帯域使用量測定部２１は、自ノード２０よって確立された接続による自ノード２０における帯域使用量を測定する帯域使用量測定手段である。移動通信端末４０と接続先との間で確立された接続は、ＧＧＳＮ２０を介したものである。従って、当該接続を用いて送受信されるデータ（ユーザパケット）は、ＧＧＳＮ２０によって中継される。帯域使用量測定部２１は、例えば、中継されるユーザパケットを監視して、自ノード２０における帯域使用量を測定する（測定方法は、既存の方法を含む方法を用いることができる）。測定される帯域使用量の情報は、例えば、１０Ｍｂｐｓといった情報となる。
【００４３】
帯域使用量測定部２１による測定は、測定された帯域使用量の情報を常時利用できるように、例えば、常時（あるいは一定間隔で）行われている。また、測定する帯域使用量は、上りのデータ（移動通信端末４０から接続先に送信されるデータ）のみ、下りのデータ（接続先から移動通信端末４０に送信されるデータ）のみ、及び上り下りのデータの合算の何れかを用いることができる。帯域使用量測定部２１は、測定した帯域使用量の情報を要求に応じて接続可否判断部２３に出力する。また、後述するように接続先に応じた制御を行う場合には、接続先（ＡＰＮ）毎に帯域使用量を測定することとしてもよい。
【００４４】
接続要求受信部２２は、ＳＧＳＮ１０から接続要求（Create PDPContext Req.）を受信する接続要求受信手段である。接続要求受信部２２は、受信した接続要求を接続可否判断部２３に出力する。
【００４５】
接続可否判断部２３は、接続要求受信部２２によって受信された接続要求に基づく接続処理を行うか否かを、帯域使用量測定部２１によって測定された帯域使用量に基づいて判断する接続可否判断手段である。接続可否判断部２３は、予め閾値を記憶しており、接続要求受信部２２から接続要求が入力された時点での帯域使用量（あるいはその時点で測定されている最新の帯域使用量）と閾値とを比較する。接続可否判断部２３は、帯域使用量が閾値を超えると判断した場合には接続処理を行わないとし、帯域使用量が閾値を超えないと判断した場合には接続処理を行うとする。上記の閾値は、例えば、回線の容量等に基づいて、ＧＧＳＮ２０において使用可能帯域が逼迫し、データの送受信が円滑に行われないおそれがある値とされる。閾値は、回線の容量等に基づいて定まる最大の帯域使用量に対する割合で設定されてもよい。なお、接続可否判断部２３は、上記の帯域使用量を用いた判断を行う場合に、帯域使用量測定部２１に対して帯域使用量の情報を要求して取得する。
【００４６】
また、上記の判断は、接続先（ＡＰＮ）に応じて行われてもよい。即ち、ＡＰＮ毎に閾値が設けられており、ＡＰＮ毎の帯域使用量に基づいて判断することとしてもよい。
【００４７】
接続可否判断部２３は、接続要求に含まれる情報によって示される選択リスト数と当該接続要求の接続要求回数とを比較して、接続要求回数が選択リスト数以上であった場合（あるいは、それらの値が一致した場合）は、上記の帯域使用量に基づく判断にかかわらず当該接続要求に基づく接続処理を行うと判断する。これは、何れのＧＧＳＮ２０によっても、接続要求が処理されないことを防止するためのものである。この判断は、帯域使用量に基づく判断が無駄になることを考慮して、帯域使用量に基づく判断の前の行うことが望ましい。この判断において、接続処理を行うと判断した場合は、帯域使用量を用いた判断は行わない。
【００４８】
接続可否判断部２３は、上記の各判断に加えて、従来の方法のように、確立されている接続数等に基づく、接続処理を行うか否かの判断を行うこととしてもよい。
【００４９】
接続可否判断部２３は、上記の判断によって接続要求に基づく接続処理を行うと判断した場合は、接続処理部２４に、その旨を通知すると共に接続要求に含まれる接続処理に必要な情報を出力する。一方で、接続要求に基づく接続処理を行わないと判断した場合は、接続可否判断部２３は、その旨を期間通知部２５に通知する。
【００５０】
接続処理部２４は、接続処理を行うと接続可否判断部２３によって判断された場合に、接続要求に基づく移動通信端末４０と接続先との間の接続処理を行う接続処理手段である。接続処理部２４による従来の方法と同様に、接続要求に含まれる情報に基づいて接続先にセッション確立要求を送信する等の処理により、移動通信端末４０と接続先との間の接続を確立させる。接続が確立されると、接続処理部２４は、その旨を接続要求に対する応答（Create PDP Context Req.）としてＳＧＳＮ１０に送信する。
【００５１】
期間通知部２５は、接続処理を行わないと接続可否判断部２３によって判断された場合に、所定の期間、自ノード２０を接続要求の送信先から除外させる旨の情報をＳＧＳＮ１０に通知する期間通知手段である。この通知は、接続要求に対する応答（Create PDP Context Req.）として送信する。まず、期間通知部２５は、当該応答に、自ノード２０においては応答に係る接続処理を行わない旨の情報、即ち、ＳＧＳＮ１０にＧＧＳＮ２０の再選択を行わせる通知を行う情報が含められる。
【００５２】
また、期間通知部２５は、当該応答に、自ノード２０を接続要求の送信先から除外させる期間（非選択時間）を示す情報を含める。期間通知部２５は、当該期間を予め記憶している。当該期間は、新たな接続処理が行われないため、接続数が増加することがない。従って、過去の統計データ等に基づいて、ＧＧＳＮ２０の帯域使用量が確実にデータの送受信が円滑に行われるような期間とするのがよい。あまり期間が短いと十分に帯域使用量が減少せず、期間が長すぎるとＧＧＳＮ２０が新たな接続処理を行わないため移動体通信網Ｎ１全体の処理として非効率となりえる。
【００５３】
当該期間は、一律の時間としてもよい。あるいは、期間通知部２５は、帯域使用量測定部２１によって測定された帯域使用量に応じて非選択時間を決定することとしてもよい。非選択時間の決定に帯域使用量が用いられる場合には、接続可否判断部２３から帯域使用量の情報が入力される。非選択時間の決定は、例えば、図３に示す、期間通知部２５が予め記憶している閾値管理テーブルに基づいて行われる。図３に示す閾値管理テーブルは、帯域使用量の閾値と、非選択時間とを対応付けて記憶している。ここで、帯域使用量の閾値は、回線の容量等に基づいて定まる最大の帯域使用量に対する割合の値である。
【００５４】
接続可否判断部２３は、帯域使用量が超えている閾値の値に対応付けられている帯域使用量をＳＧＳＮ１０に通知する情報として決定する。ここで、ａ％＜ｂ％であるとすると、帯域使用量がａ％のみ超えていたら非選択時間はｃ秒とされ、帯域使用量がｂ％も超えていたら非選択時間はｄ秒とされる。なお、閾値と非選択時間との関係は任意のものを用いえるが、閾値が大きくなるに従って非選択時間も大きくするのがよい。通常、閾値が大きい方が、確実にデータの送受信が円滑に行われるようになるまでに長い時間がかかるためである。また、通常、最も小さい閾値（図３ではａ％）は、接続処理の実行可否の判断に用いた閾値と一致させるのがよい。
【００５５】
また、上記の判断は、接続先（ＡＰＮ）に応じて行われてもよい。即ち、ＡＰＮ毎の帯域使用量に基づいて判断することとしてもよい。また、ＡＰＮ毎に閾値管理テーブルが用意されていてもよい。以上が、ＧＧＳＮ２０の機能構成である。
【００５６】
続いて、図４に本実施形態に係るＳＧＳＮ１０及びＧＧＳＮ２０のハードウェア構成を示す（ＳＧＳＮ１０及びＧＧＳＮ２０は、同様のハードウェア構成をとる）。図４に示すように、ＳＧＳＮ１０及びＧＧＳＮ２０は、ＣＰＵ（Central Processing Unit）１０１、主記憶装置であるＲＡＭ（Random Access Memory）１０２及びＲＯＭ（ReadOnly Memory）１０３、通信モジュール１０４並びにハードディスク等の補助記憶装置１０５等のハードウェアを備えるコンピュータを備えて構成される。これらの構成要素が、動作することにより、ＳＧＳＮ１０及びＧＧＳＮ２０の上述した機能が発揮される。
【００５７】
引き続いて、図５のシーケンス図を用いて本実施形態に係る通信制御システム１によって実行される処理（通信制御方法）について説明する。本処理の説明においては、移動通信端末４０ａ及び移動通信端末４０ｂからＰＤＮ（Ｎ２）のＧｉサーバへの接続要求が行われる。また、その接続要求に対して接続要求をしえる複数のＧＧＳＮ２０には、ＧＧＳＮ２０ａ及びＧＧＳＮ２０ｂが含まれるものとする。
【００５８】
ＧＧＳＮ２０ａ及びＧＧＳＮ２０ｂでは、それぞれの帯域使用量測定部２１によって、自ノード２０ａ，２０ｂよって確立された接続による自ノード２０ａ，２０ｂにおける帯域使用量が測定されている（Ｓ０１，Ｓ０２、帯域使用量測定ステップ）。なお、この測定は、上述したように常時（あるいは一定間隔で）行われている。
【００５９】
移動通信端末４０ａからＳＧＳＮ１０に、Ｇｉサーバ５０を接続先に指定した接続要求（Activate PDP Context Req.）が送信される。ＳＧＳＮ１０では、接続要求受付部１１によって当該接続要求が受信される（Ｓ０３、接続要求受付ステップ）。受信された接続要求は、接続要求受付部１１から接続要求処理部１２に出力される。
【００６０】
続いて、接続要求処理部１２によって、アドレス解決管理テーブルが参照されて、当該接続要求を送信するＧＧＳＮ２０が自ノード１０に接続された複数のＧＧＳＮ２０から選択される（アドレス解決）（Ｓ０４、接続要求処理ステップ）。ここでは、ＧＧＳＮ２０ａが送信先として選択される。続いて、接続要求処理部１２によって、当該接続要求の送信先として選択しえるＧＧＳＮ２０の数（接続リスト数）及び当該接続要求の送信回数（接続要求回数）を示す情報が確認される（Ｓ０５、接続要求処理ステップ）。続いて、接続要求処理部１２によって、移動通信端末４０ａからの接続要求に基づく接続要求（Create PDP Context Req.）に接続リスト数（ｘ）及び接続要求回数（ｙ）が含められて、選択されたＧＧＳＮ２０ａに送信される（Ｓ０６、接続要求処理ステップ）。この際、接続要求処理部１２では、当該接続要求のＧＧＳＮ２０への送信回数がカウントされる。
【００６１】
ＧＧＳＮ２０ａでは、接続要求受信部２２によって接続要求が受信される（Ｓ０６、接続要求受信ステップ）。受信された接続要求は、接続要求受信部２２から接続可否判断部２３に出力される。続いて、接続可否判断部２３によって、接続要求に含まれる情報によって示される選択リスト数（ｘ）と当該接続要求の接続要求回数（ｙ）とが比較される（Ｓ０７、接続可否判断ステップ）。
【００６２】
ここで、接続要求回数が選択リスト数以上であった場合、接続可否判断部２３によって当該接続要求に基づく接続処理を行うと判断する。このように判断された場合、接続可否判断部２３から接続処理部２４に、その旨が通知されると共に接続要求に含まれる接続処理に必要な情報が出力される。続いて、接続処理部２４によって、移動通信端末４０と接続先であるＧｉサーバ５０との間の接続処理が行われる。具体的には、接続処理部２４からＧｉサーバ５０に対して、セッション確立要求が送信され（Ｓ０８、接続処理ステップ）、接続処理部２４によって、Ｇｉサーバ５０からの当該セッション確立要求への応答が受信される（Ｓ０９、接続処理ステップ）。その後も接続処理部２４による通常の接続処理が行われる（Ｓ１０、接続処理ステップ）。
【００６３】
一方、Ｓ０７における比較において、接続要求回数が選択リスト数以上でなかった場合、続いて、接続可否判断部２３によって、接続要求に基づく接続処理を行うか否かが、帯域使用量測定部２１によって測定された帯域使用量に基づいて判断される（Ｓ１１、接続可否判断ステップ）。具体的には、接続可否判断部２３によって、帯域使用量と予め記憶された閾値とが比較される。帯域使用量が閾値を超えないと判断した場合には接続処理を行うとされ、上記と同様に接続処理部２４による接続処理（Ｓ０８〜Ｓ１０）が行われる（図示せず）。
【００６４】
帯域使用量が閾値を超えると判断した場合には接続処理を行わないとされ、その旨が接続可否判断部２３から期間通知部２５に通知される。続いて、期間通知部２５によって、非選択時間が決定される（Ｓ１２、期間通知ステップ）。上述したように非選択時間は、例えば、図３に示す閾値管理テーブルが参照されて帯域使用量に応じて決定される。続いて、期間通知部２５によって、ＳＧＳＮ１０にＧＧＳＮ２０の再選択を行わせる通知を行う情報（再選択通知）、及び上記のように決定された非選択時間を示す情報を含む応答（Create PDP Context Req.）が生成されて、ＳＧＳＮ１０に送信される（Ｓ１３、期間通知ステップ）。
【００６５】
ＳＧＳＮ１０では、接続要求処理部１２によって当該応答が受信される（Ｓ１３、接続要求処理ステップ）。続いて、接続要求処理部１２によって、当該応答がＧＧＳＮ２０の再選択を行うように通知するものであると判断されて、応答に含まれる情報が制御部１３に出力される。
【００６６】
続いて、制御部１３によって、ＧＧＳＮ２０ａに対応する非選択時間の情報が保持され、その情報によって示される非選択時間の間、ＧＧＳＮ２０ａを接続要求の送信先から除外させるよう、接続要求処理部１２に対する制御が開始される（Ｓ１４、制御ステップ）。また、制御部１３から接続要求処理部１２に対して、当該接続要求の送信先となるＧＧＳＮ２０を再選択する指示が行われる。
【００６７】
続いて、制御部１３から指示を受けた接続要求処理部１２によって、接続要求の送信先となるＧＧＳＮ２０の再選択が行われる（Ｓ１５、接続要求処理ステップ）。ＧＧＳＮ２０の再選択は、上記のアドレス解決の処理（Ｓ０４）と同様に行われる。ここでは、ＧＧＳＮ２０ｂが選択されるものとする。続いて、接続要求処理部１２によって、当該接続要求（Create PDP Context Req.）に接続リスト数（ｘ）及び接続要求回数（ｙ）が含められて、選択されたＧＧＳＮ２０ｂ送信される（Ｓ１６、接続要求処理ステップ）。なお、ここで、含まれる接続要求回数の情報は、ＧＧＳＮ２０ａへの接続要求に含められた回数の情報よりも１大きいものになる。接続リスト数は、ＧＧＳＮ２０ａへの接続要求に含められたものと同じである。
【００６８】
ＧＧＳＮ２０ｂでは、接続要求受信部２２によって接続要求が受信され、接続可否判断部２３に出力される（Ｓ１６、接続要求受信ステップ）。続いて、上記（Ｓ０７）と同様に、接続可否判断部２３によって、接続要求に含まれる選択リスト数（ｘ）と当該接続要求の接続要求回数（ｙ）との情報に基づいて、接続処理の実行可否が判断される（Ｓ１７、接続可否判断ステップ）。ここで、接続要求回数が選択リスト数以上でなかった場合、続いて上記（Ｓ１１）と同様に、接続可否判断部２３によって、接続要求に基づく接続処理を行うか否かが、帯域使用量測定部２１によって測定された帯域使用量に基づいて判断される（Ｓ１８、接続可否判断ステップ）。帯域使用量が閾値を超えないと判断した場合には接続処理を行うとされ、上記（Ｓ０８〜Ｓ１０）と同様に接続処理部２４とＧｉサーバとの間で接続処理が行われる（Ｓ１９、接続処理ステップ）。接続処理が完了すると、接続処理部２４によって、その旨が接続要求に対する応答（Create PDP Context Res.）としてＳＧＳＮ１０に送信される（Ｓ２０、接続処理ステップ）。
【００６９】
ＳＧＳＮ１０では、接続要求処理部１２によって当該応答が受信されて、接続先との接続処理が行われた旨が、移動通信端末４０からの接続要求への応答（Activate PDP Context Accept）として移動通信端末４０に通知される（Ｓ２１、接続要求処理ステップ）。その後、移動通信端末４０ａとＧｉサーバ５０との間で確立された接続が用いられてユーザパケットの送受信が行われる（Ｓ２２）。なお、この送受信はＧＧＳＮ２０ｂを介して行われ、帯域使用量測定部２１による測定対象となる。
【００７０】
ここで、上記の移動通信端末４０ａとは別の移動通信端末４０ｂからＳＧＳＮ１０に、Ｇｉサーバ５０を接続先に指定した接続要求（Activate PDP Context Req.）が送信される。ＳＧＳＮ１０では、接続要求受付部１１によって当該接続要求が受信される（Ｓ３１、接続要求受付ステップ）。受信された接続要求は、接続要求受付部１１から接続要求処理部１２に出力される。
【００７１】
続いて、接続要求処理部１２によって、アドレス解決管理テーブルが参照されて、当該接続要求を送信するＧＧＳＮ２０が自ノード１０に接続された複数のＧＧＳＮ２０から選択される（アドレス解決）（Ｓ３２、接続要求処理ステップ、制御ステップ）。ここで、接続要求処理部１２は制御部１３からＧＧＳＮ２０ａを接続要求の送信先から除外させるよう制御を受けているので、ＧＧＳＮ２０ａは選択対象から除外される。ここでは、ＧＧＳＮ２０ｂが選択される。
【００７２】
また、上記（Ｓ０５）と同様に、接続要求処理部１２によって、当該接続要求の送信先として選択しえるＧＧＳＮ２０の数（接続リスト数）及び当該接続要求の送信回数（接続要求回数）を示す情報が確認される（図示せず）。ここで選択リスト数には、上記のＧＧＳＮ２０ａの分は含まれない。続いて、接続要求処理部１２によって、接続要求（Create PDP Context Req.）に接続リスト数（ｘ）及び接続要求回数（ｙ）が含められて、選択されたＧＧＳＮ２０ｂに送信される（Ｓ３３、接続要求処理ステップ）。以降の処理は、上述した処理と同様の処理が行われる（Ｓ３４）。
【００７３】
制御部１３によるＧＧＳＮ２０ａを接続要求の送信先から除外させる制御が開始されてから、非選択時間が経過したことが制御部１３によって検出されると、ＧＧＳＮ２０ａを接続要求の送信先から除外させる制御は終了し、接続要求処理部１２は再度、ＧＧＳＮ２０ａを接続要求の送信先として選択できるようになる。以上が、本実施形態に係る通信制御システム１によって実行される処理である。
【００７４】
上述したように、本実施形態に係る通信制御システム１では、ＧＧＳＮ２０において自ノード２０における帯域使用量に基づいて、接続要求に基づく接続処理を行うか否かが判断される。この帯域使用量が接続処理あるいは接続を介したデータの送受信の効率を低下させるおそれがある、あるいは実際に効率を低下させるほどに大きかった場合等には接続処理を行わないと判断される。その場合、非選択時間の間、自ノード２０を接続要求の送信先から除外させる旨がＧＧＳＮ２０からＳＧＳＮ１０に通知される。ＳＧＳＮ１０では、当該接続要求に対する応答により上記の通知が行われると、非選択時間の間、当該ＧＧＳＮ２０を接続要求の送信先から除外させる。
【００７５】
即ち、本実施形態に係る通信制御システム１では、ＧＧＳＮ２０での帯域使用量が接続処理あるいは接続を介したデータの送受信の効率を低下させるおそれがある、あるいは実際に効率を低下させるほどに大きかった場合等には、非選択時間の間、新たな接続処理が行われない。そのため、その間に当該ＧＧＳＮ２０での帯域使用量が減少する（但し、その時点でＧＧＳＮ２０を介して確立されている接続を介したユーザパケットの送受信は行われるので、帯域使用量は増加する可能性もある）。
【００７６】
また、接続処理は、ユーザパケットが円滑に疎通できるＧＧＳＮ２０から優先して選択されて送信されることとなる。従って、本実施形態に係る通信制御システム１によれば、移動体通信網Ｎ１における効率的な設備利用が実現でき、ＧＧＳＮ２０において使用可能帯域が逼迫することを防止して、移動体通信網Ｎ１を介したデータの送受信が円滑に行われる。即ち、移動体通信網Ｎ１に比べて、接続遅延やユーザパケットの破棄が従来の減少する。また、再送ユーザパケットが減少するため、帯域逼迫状態の早期平準化に貢献し、また設備の処理負荷軽減も実現できる。
【００７７】
また、本実施形態のように図３に示す閾値管理テーブル等を用いて、非選択時間を測定された帯域使用量に応じたものとすることが望ましい。この構成によれば、ＧＧＳＮ２０において新たな接続処理を行わない期間を、帯域使用量に応じた適切なものにすることができる。これにより帯域使用量が過剰に長くなること等を防止し、適切にＧＧＳＮ２０において使用可能帯域が逼迫することを防止することができる。
【００７８】
また、本実施形態のように、ＳＧＳＮ１０からＧＧＳＮ２０に送信される接続要求（CreatePDP Context Req.）に接続リスト数及び接続要求回数を含め、その情報に基づいて接続処理を行うか否かを判断することが望ましい。この構成によれば、ＳＧＳＮ１０において接続要求の送信先として選択しえる全てのＧＧＳＮ２０の全てにおいて接続処理が行われなくなるという事態の発生を防止して、何れかのＧＧＳＮ２０で確実に接続処理を行わせることができる。
【００７９】
また、上述したようにＡＰＮ毎に接続処理の実行可否の判断を行わせたり、非選択時間を決定したりすることが望ましい。この構成によれば、ＡＰＮに応じた適切な処理が可能になる。但し、ＡＰＮに応じたＧＧＳＮ２０の違いがない場合や、ＡＰＮに応じたＧＧＳＮ２０による全帯域使用量の違いがない場合には、上記を行う必要はない。
【００８０】
なお、本実施形態では、接続要求受付ノードはＳＧＳＮ１０、接続処理ノードはＧＧＳＮ２０として説明したが、必ずしもそれらの装置である必要はない。一つの接続要求受付ノードが複数の接続処理ノードから接続処理ノードを選択して、接続処理を行わせる形態をとる通信制御システムであれば適用可能である。
【００８１】
例えば、図６に示すようなＧＧＳＮ６０に適用することができる。ＧＧＳＮ６０では、ＳＧＳＮ７０から接続要求を受信して接続処理を行う。ＧＧＳＮ６０には、接続要求を受け付ける一つの接続要求受付ノードであるＣ−Ｐｌａｎｅ処理装置６１と、Ｃ−Ｐｌａｎｅ処理装置６１に接続され実際に接続処理を行う接続処理ノードでありＵ−Ｐｌａｎｅ処理装置６２とを含んで構成されている。各Ｕ−Ｐｌａｎｅ処理装置６２は、異なる物理的な構成からなっている。
【００８２】
Ｃ−Ｐｌａｎｅ処理装置６１とＵ−Ｐｌａｎｅ処理装置６２とは、接続要求に対する処理について上述したＳＧＳＮ１０とＧＧＳＮ２０と同じ構成をとる。即ち、Ｃ−Ｐｌａｎｅ処理装置６１が、接続要求受付部１１と、接続要求処理部１２と、制御部１３とに相当する構成を有し、Ｕ−Ｐｌａｎｅ処理装置６２が、帯域使用量測定部２１と、接続要求受信部２２と、接続可否判断部２３と、接続処理部２４と、期間通知部２５とに相当する構成を有している。本発明は、上記のような構成の場合であっても適用することが可能である。
【符号の説明】
【００８３】
１…通信制御システム、１０…ＳＧＳＮ、１１…接続要求受付部、１２…接続要求処理部、１３…制御部、２０…ＧＧＳＮ、２１…帯域使用量測定部、２２…接続要求受信部、２３…接続可否判断部、２４…接続処理部、２５…期間通知部、１０１…ＣＰＵ、１０２…ＲＡＭ、１０３…ＲＯＭ、１０４…通信モジュール、１０５…補助記憶装置、３０…ルータ、４０…移動通信端末、５０…Ｇｉサーバ、６０…ＧＧＳＮ、６１…Ｃ−Ｐｌａｎｅ処理装置、６２…Ｕ−Ｐｌａｎｅ処理装置、Ｎ１…移動体通信網、Ｎ２…ＰＤＮ。
【図１】
2010239355.tif 000003
【図２】
2010239355.tif 000004
【図３】
2010239355.tif 000005
【図４】
2010239355.tif 000006
【図５】
2010239355.tif 000007
【図６】
2010239355.tif 000008